(57)【要約】【課題】本発明は樋門下部等の堆砂を、水門等に用いられる大型の常設設備を用いることなく人力運搬が可能な小型の設備によって効率良く除去できる堆砂除去装置を提供する。【解決手段】この発明は樋門下部等に堆積している堆砂１０の除去装置であって、該除去装置は油圧式水中ポンプ２と、該油圧式水中ポンプ２に連設されて該油圧式水中ポンプ２から送水されるノズルホルダ３と、該ノズルホルダ３の両側面の反対方向に夫々突設されているノズル４，４…と、前記油圧式水中ポンプ２上部に配設される浮体６と、該ノズルホルダ３を操作するための操作杆７とから成る樋門堆砂除去装置を提供する。【選択図】　図１
2004137811.tif 000002
【特許請求の範囲】
【請求項１】
樋門下部等に堆積している堆砂の除去装置であって、該除去装置は水中ポンプと、該水中ポンプに連設されて該水中ポンプから送水されるノズルホルダと、該ノズルホルダの両側面の反対方向に夫々突設されているノズルと、前記水中ポンプ上部に配設される浮体と、該ノズルホルダを操作するための操作杆とから成ることを特徴とする堆砂除去装置。
【請求項２】
上記ノズルホルダの両側面反対方向に夫々突設されているノズルは複数個が所定間隔で水平方向に配設されると共に、各ノズルは数度後方へ向って突設されていることを特徴とする請求項１記載の堆砂除去装置。
【請求項３】
上記ノズルホルダに突設される少なくとも１個のノズルが上記両側面の反対方向へ夫々突設されているノズルの中間部であって、且つ、該ノズルの突設方向と直交して下向きに配設されていることを特徴とする請求項１又は２記載の堆砂除去装置。
【請求項４】
上記水中ポンプは油圧式水中ポンプから成ることを特徴とする請求項１、２又は３記載の堆砂除去装置。
【請求項５】
上記水中ポンプ及び浮体とをノズルホルダから別離し、該水中ポンプからの送水はホースを介して前記ノズルホルダに送供されることを特徴とする請求項１、２、３又は４記載の堆砂除去装置。
【発明の詳細な説明】
【０００１】
【発明の属する技術分野】
本発明は樋門下部等に堆積している堆砂の除去装置に関するものであり、特に、人力運搬が可能な小型の堆砂除去装置であって、堆砂の除去作業が容易、且つ、効率良く実行できるように形成された堆砂除去装置に関するものである。
【０００２】
【従来の技術及び発明が解決しようとする課題】
多くの湖等はその全周に及んで堤防が構築され、そして、周囲の民家や農耕地は該堤防によって水害から守られている。而して、該湖には周囲の田畑から該湖に排水するための排水路が多数設けられている。この排水路の終末端部にはすべてゲートが設置されており、このゲートが樋門と呼ばれている。
【０００３】
而して、該樋門の幅は平均５〜６ｍ位であって、洪水時にはこの樋門が閉塞され、そして、大型ポンプを用いて陸側の水を湖側に排水し、冠水被害を早期に解決するように管理されている。
【０００４】
斯くの如く、該樋門は、洪水時のみにゲートが閉塞されるのであって、通常は該ゲートが全開されて前記周囲の田畑からの排水を可能にしている。而も、前述したように洪水等の自然災害が発生したときのみ該樋門は閉塞されるのである。従って、該樋門の閉塞中に於いて、該樋門下には泥土或いは砂が堆積する。之は一般に堆砂と称される。この堆砂によって豪雨等の緊急時に該樋門が締め切れないことがあり、之によって該樋門を介し、周囲の民家、田畑等へ湖からの大量の水が逆流して洪水の被害を蒙ると云う現象が生じることがある。
【０００５】
そこで、人力運搬が可能な小型の設備を用いて樋門の堆砂の除去作業が効率良く実施でき、且つ、コストの面に於いても有利な樋門堆砂除去装置を得るために解決すべき技術的課題が生じるのであり、本発明は該課題を解決することを目的とする。
【０００６】
【課題を解決するための手段】
本発明は上記目的を達成するために提案せられたものであり、樋門下部等に堆積している堆砂の除去装置であって、該除去装置は水中ポンプと、該水中ポンプに連設されて該水中ポンプから送水されるノズルホルダと、該ノズルホルダの両側面の反対方向に夫々突設されているノズルと、前記水中ポンプ上部に配設される浮体と、該ノズルホルダを操作するための操作杆とから成る堆砂除去装置、及び、上記ノズルホルダの両側面反対方向に夫々突設されているノズルは複数個が所定間隔で水平方向に配設されると共に、各ノズルは数度後方へ向って突設されて成る堆砂除去装置、及び、上記ノズルホルダに突設される少なくとも１個のノズルが上記両側面の反対方向へ夫々突設されているノズルの中間部であって、且つ、該ノズルの突設方向と直交して下向きに配設されて成る堆砂除去装置、及び、上記水中ポンプは油圧式水中ポンプから成る堆砂除去装置、並びに上記水中ポンプ及び浮体とをノズルホルダから別離し、該水中ポンプからの送水はホースを介して前記ノズルホルダに送供されて成る堆砂除去装置を提供するものである。
【０００７】
【発明の実施の形態】
以下、本発明の一実施の形態を樋門堆砂除去装置について図１乃至図８に従って詳述する。図１に於いて、１は樋門堆砂除去装置を示す。該樋門堆砂除去装置１は油圧式水中ポンプ２と、該油圧式水中ポンプ２の下部に連結されているノズルホルダ３と、該ノズルホルダ３の両側面反対方向へ突設されているノズル４，４…と、該双方のノズル４，４…の中間部であって、且つ、該ノズル４，４…の突設方向と直交して下向きに配設される少くとも１個のノズル５と、前記油圧式水中ポンプ２の上部に配設される環状の浮体６と、該油圧式水中ポンプ２に連結される操作杆７とから成る。
【０００８】
而して、前記ノズルホルダ３の両側面であって、相互に反対方向へ即ち、図１に於いて左右側面に突設されるノズル４，４…は、左右に夫々３本のノズル４が水平方向に配設されると共に、左右のノズル４は夫々配置高さを異にして堆砂厚さに対応できるように構成され、更に、図５に示すように該左右のノズル４はθ（約７度）後方向きに配設されている。又、前記ノズル４の数及び前記配設角度は堆砂１０の厚さに順応して任意に選択されるものとする。
【０００９】
更に又、図１に於いて８は油圧源であり、該油圧源８は陸地等に設置され前記油圧式水中ポンプ２に連結し、該油圧源８からの圧油を該油圧式水中ポンプ２に送給して該油圧式水中ポンプ２を駆動させ、そして、該油圧式水中ポンプ２の上方部位に開穿されている吸水口９から樋門下の水面部位の清浄水を吸入して前記ノズルホルダ３を介し、前記ノズル４，４…及び５から該清浄水を噴射できるように構成されている。
【００１０】
又、該油圧式水中ポンプ２の通常の使用姿勢は前記吸水口９を下面にして用いられるのであるが、図１に示す堆砂除去装置１の場合は、前記油圧式水中ポンプ２は逆さまに配置することにより、前記吸水口９が砂送流水や攪拌水の少ない水面側で取水できるように形成されている。更に、同図に示すように、前記環状の浮体６は油圧式水中ポンプ２の上方部を囲繞して配設されて成るので、堆砂除去装置１の水中操作力を軽くすることができると共に、浮力が重心点よりも高い点に作用するので転倒する憂いもない。更に、該油圧式水中ポンプ２及び該浮体６はネット１１にて囲まれ、該ネット１１によって堆砂中に混入する塵芥による該油圧式水中ポンプ２が閉塞しないように構成されている。
【００１１】
又、前記操作杆７は該油圧式水中ポンプ２の上端部に連結され、図２に示すように、作業員が管理用既設通路１２上に於いて、該操作杆７の上端部位に取付けられているハンドル７ａを把持し乍ら該堆砂除去装置１を操作して樋門下の堆砂１０を除去することができるように形成されて成るものである。而して、該操作杆７の長さは、水面の高さ等により任意に選択されることは当然である。
【００１２】
以上は油圧式水中ポンプ２とノズル４及び５を有するノズルホルダ３とを一体化したものについて説明した。然るときは、該油圧式水中ポンプ２からノズルホルダ３に送水するためのホースが不要となって軽量化や操作性向上に寄与すると共に、水中ポンプを油圧駆動式のものを採択することにより大幅な軽量化を達成できる。
【００１３】
但し、図８に示すように、作業の都合により前記ノズルホルダ３から前記油圧式水中ポンプ２及び前記浮体６を分離し、そして、該ノズルホルダ３の上端部に前記操作杆７を結合し、該操作杆７を把持して該ノズルホルダ３を前記堆砂１０内に挿入して堆砂１０の除去作業を実施することもできる。このとき、前記分離した油圧式水中ポンプ２は該作業地から遠隔した地点に設置し、送水ホース１３を介して該油圧式水中ポンプ２から圧力水を該ノズルホルダ３内へ送水することもできる。而して、このノズルホルダ３と油圧式水中ポンプ２との分離型の堆砂除去装置１は例外的に用いられるものとする。
【００１４】
本発明の一実施の形態は上述する如き構成に係るから、図２に示すように作業員が例えば管理用既設通路１２上に立って前記操作杆７を把持し、堆砂除去装置１を樋門下の堆砂１０中に挿入する。このとき、前記油圧式水中ポンプ２は駆動している。従って、該油圧式水中ポンプ２には前記吸水口９から水面側の水を取水して前記ノズルホルダ３に圧力水を送水する。然るときは、該ノズルホルダ３に設けてあるノズル４，４…及び５から圧力水が噴射される。
【００１５】
而して、前記ノズル５からの圧力水は図６に示すように、下向きに噴射されるので、先ず該堆砂除去装置１直下の堆砂が流動化、液状化され、該堆砂除去装置１全体が抵抗なく該堆砂１０内に貫入される。同時に、該ノズルホルダ３の両側面から反対水平方向へ突設されているノズル４，４…から前記圧力水が噴射される。即ち、該ノズル４，４…からの圧力水の噴射方向は図３に示すように反対方向であるから、該圧力水は図７に示すように、前記堆砂１０内に挿入された該堆砂除去装置１の噴流によって樋門下の堆砂が掘削され、そして、該堆砂の左右反対方向への水中流送が効率的に実行されて樋門下の堆砂の除去が可能となるのであるが、該左右反対方向への噴射反動力が相互に打ち消されることになる。更に、前記左右の水平ノズル４，４…は夫々数度後方に向って突設されているので、該水平ノズル４，４…からの圧力水の噴射によって、該堆砂除去装置１に対して推進力を発生させることが可能となる。之は噴射反動力の分力を活用することにより前記推進力が生じることになる。
【００１６】
斯くして、前記操作杆７を把持して該堆砂除去装置１を移動・操作するとき、該堆砂除去装置１に付与される前記推進力により操作杆７に伝達される手元のモーメントは最少限に押えられるので、該堆砂除去装置１の操作が極めて容易円滑に行われることができる。
【００１７】
又、堆砂１０の厚みが例えば５０ｃｍ〜６０ｃｍであっても、該堆砂除去装置１を約２０ｃｍ程度上下動させ乍ら前進させれば該堆砂除去装置１の前記圧力水の噴射により堆砂１０の送流が効率良く行われることができる。又、該推進力が不要であるときは、該堆砂除去装置１の下端部を軽く地面に押しつけることによりブレーキとなり、従って、該堆砂除去装置１を静止した状態で堆砂の除去作業を行うこともできる。更に又、操作杆７のハンドル７ａを回転させれば舵取りが行われ、１８０度回動させることにより往復走行することも可能である。
【００１８】
【発明の効果】
本発明は上記一実施の形態に示すように、特に油圧式水中ポンプを用いることにより大幅な軽量化が達成でき、且つ、ノズルホルダに下向きに配設されているノズルによる圧力水の噴射によって樋門下部等に堆積している堆砂が流動化、液状化され、堆砂除去装置を抵抗なく該堆砂内に貫入できる。更に、ノズルホルダの両側面で反対水平方向にノズルが複数個突設されているので、ノズル噴射反動力を相互に打ち消して操作杆を把持して操作している手元に無駄なモーメントが作用することがなく、且つ、該水平方向に突設されているノズルは数度後方に向って配設されているので、ノズルの噴射反動力の分力により堆砂除去装置に推進力が付与され、更に、前記堆砂除去装置に取付けられている浮体による浮力が重心点より高い点に作用するので、作業中該堆砂除去装置が転倒するような憂いもない。依って、該堆砂除去装置による樋門下部等の堆砂の水中流送が極めて効率良く実施されることができる。
【００１９】
更に、該堆砂除去装置は組立・分解が容易であり、特殊用途の排水ポンプ等の切替え或いは段取替え作業も非常に容易であり、且つ、構成を簡素化して可及的に軽量化を図り、更に常時設置型でないのでコストダウンにも寄与する等、正に諸種の著大なる効果を奏する発明である。
【図面の簡単な説明】
【図１】本発明の堆砂除去装置を樋門下部の堆砂内に挿入して堆砂を除去している状態を示す解説図。
【図２】図１の堆砂除去装置を手動にて操作している状態を示す解説図。
【図３】図１の堆砂除去装置のノズルから圧力水を噴射している状態を示す解説図。
【図４】図１の堆砂除去装置に推進力を付与している状態を示す解説側面図。
【図５】図１の堆砂除去装置に推進力を付与している状態を示すノズルホルダの横断面図。
【図６】図１の堆砂除去装置の下向きノズルによって直下の堆砂を流動化・液状化している状態を示す解説正面図。
【図７】図１の堆砂除去装置の水平方向のノズルによって直下の堆砂を送流している状態を示す解説側面図。
【図８】本発明の堆砂除去装置の他の実施の形態を示す解説図。
【符号の説明】
１　　　　　堆砂除去装置
２　　　　　油圧式水中ポンプ
３　　　　　ノズルホルダ
４　　　　　水平方向のノズル
５　　　　　下向きのノズル
６　　　　　浮体
７　　　　　操作杆
９　　　　　吸水口
１０　　　　　堆砂
【図１】
2004137811.tif 000003
【図２】
2004137811.tif 000004
【図３】
2004137811.tif 000005
【図４】
2004137811.tif 000006
【図５】
2004137811.tif 000007
【図６】
2004137811.tif 000008
【図７】
2004137811.tif 000009
【図８】
2004137811.tif 000010